(57)【要約】【課題】  車椅子に座ったまま、天井に当たることなくワンボックスカーに乗り込む。【解決手段】  後部両側を大径後車輪５、前部両側を小径前車輪６で支持する車椅子において、主フレーム３の後背面に取り付け固定されたガイドプレール７に沿って、上下にスライドするスライドレール９を移動させることにより、スライドレール９に固定された大径車輪５の回転軸８が上下に移動し、スライドレールのロック機構１１で所定の位置に高さを設定をできる構成とすることにより、簡単な操作で直接車椅子の座部１５高さを調節することができる。【選択図】  図１
2005253909.tif 000002
【特許請求の範囲】
【請求項１】
一対の主フレーム１、２、３及び補助フレーム４で骨格が形成され、後部両側を大径後車輪５で支持し、前部両側は小径前車輪６で支持し、フレームに固定された座部１５及び背凭れ１６を有する車椅子であって、主フレーム３の背面に取り付け固定されたガイドレール７に沿って、大径後車輪５の回転軸８が固定されたスライドレール９が上下に滑動可能に取り付けられ、スライドレール９にはガス反力により上下動をアシストするガススプリングが１０が備えられ、ガイドレール７とスライドレール９の間には車椅子を所定の高さで固定できるロック機能１１を備えた構成とし、ロック機能１１を外し取手１２を押し下げガススプリング１０が縮んだ状態にすることにより、スライドレール９に回転保持するよう取り付け固定された大径後車輪５の回転軸８が上方に移動することにより座部１５が押し下げられ、逆に取手１２を持ち上げなからスライドレール９に固定された大径後車輪５を押し下げ、ロック機能１１をセットすることにより座部１５が上昇した状態になり、車椅子が通常の高さに復帰できるよう構成させることを特徴とする車椅子。
【請求項２】
主フレーム３の背部に取り付け固定されるガイドトレール７と、これに沿って上下に滑動可能に取り付け固定されるスライドレール９との間にベアリング球１７を介在させ、スライドレール９の滑動がスムーズになるよう構成させた請求項１記載の車椅子。
【請求項３】
主フレーム３に背凭れ１６と、補助フレーム４の先の下向き延長部１３には足載せ台１４が設けられている請求項１乃至２記載の車椅子。
【請求項４】
多様な車椅子のフレーム構成において、ガイドレール７とスライドレール９及びスライドレール９に回転保持される大径後車輪５を請求項１同様に構成させた、請求項２及び請求項３の機能を有する車椅子。
【発明の詳細な説明】
【技術分野】
【０００１】  本発明は、座部の高さを調節できる車椅子に関するものである。
【背景技術】
【０００２】  車椅子の使用者が車椅子に座ったまま、リフト等によってワンボックスカーに乗り込むことができれば、車椅子使用者及び介護者の労力が省ける。しかし、現状の４ＷＤのワンボックスカーでは後部の床面を可能分下げても、使用者を車椅子に座らせたままワンボックスカーに乗せると、使用者の頭がワンボックスカーの天井に当たってしまう。ワンボックスカーの天井を高くすることは、ボディサイズのランクアップにより自動車税の負担増を招来する。また、車椅子の座部を低くすることは、手回しホイールの操作性、足載せ台との関係上、大きな制約を受けるため実現できない。【０００３】  そこで、本発明は車椅子の座部の高さを調節できるよう構成させ、ワンボックスカーに乗り込む場合には座部の高さを低く調節し、また、車椅子を道路上で使用する場合には座部を高く調節できるものにするにはどうしたらよいかについて種々検討を重ねてきた結果、本発明に到達したのである。
【特許文献１】特開２００１−２５８９４７号広報
【特許文献２】特開２００３−２７５２５２号広報
【特許文献３】特開２００３−２３０６０１号広報
【発明の開示】
【発明が解決しようとする課題】
【０００４】  本発明は、このような実情に鑑みなされたもので、その解決しようとする課題は、車椅子使用者が車椅子に座ったまま、ワンボックスカーの天井に頭部が当たることなく乗り込めるようにすることである。
【課題を解決するための手段】
【０００５】  そこで、本発明は上述した課題を解決するためになされたものであって、その目的は簡単な構成でありながら、操作性よく、しかも確実に座部の高さが調節できる車椅子を提供することにある。【０００６】  上述した目的を達成するため本発明は、一対の主フレーム１、２、３、及び補助フレーム４で骨格が形成され、後部両側を大径後車輪５で、前部両側を小径前車輪６で支持し、主フレーム３の背面に取り付け固定されたガイドプレート７に沿って、大径車輪５の回転軸８が固定されたスライドレール９が上下に滑動可能に取り付けられ、スライドレール９にはガス反力により上下の滑動をアシストするガススプリング１０が備えられ、ガイドレール７とスライドレール９との間には所定の位置で固定できるロック機能１１を備えた構成となる。車椅子使用者をワンボックスカー等へ乗せるため座部１５を低い位置に設定するには、ロック機能１１を外し、取手１２を押し下げることによりスライドレールが上昇しガススプリング１０縮んだ状態になることにより、大径後車輪５に比し座部１５が低い位置に移動し、所定の位置でロック機能１１をロックさせるだけで高さが固定され、従って車椅子使用者の頭の位置も低くなる。逆に、ワンボックスカーから降車して車椅子を通常の高さに戻す場合には、ロック機能１１を外し、取手１２を持ち上げながら大径車輪５を押し下げ、所定の高さでロック機能をセットするだけで本来の車椅子の高さに復帰する。
【発明の効果】
【０００７】  本発明は、以上詳述した如く構成させたので、車椅子で道路を移動する際には、車椅子のフレーム即ち座部１５を高くした状態で使用する。通常の車椅子と同様に使用者が手回しホイール１７を回して走行できる。使用者を車椅子に乗せたまま、ワンボックスカーに搭載するには、まず介護者がロック機能１１を解除する。使用者の体重がガススプリング１０を縮める様に作用して縮み、座部１５が下降し、所定の位置でロックする。上記状態で使用者を乗せたまま車椅子をワンボックスカーに搭載しても、使用者の頭がワンボックスカーの天井に当たることはない。
【発明を実施するための最良の形態】
【０００８】  次に、本発明を図面に示した実施の形態について説明すると、図１乃至図６に示すように、車椅子のフレーム全体を後部両側の大径後車輪５と前部を小径前車輪６で支持し、後車輪５の外側には該後車輪５と一体に回転する手回しホイール１７が取り付けられる。【０００９】  補助フレーム４、４の延長部１３、１３前端には、キャスター式の小径前車輪６が設けられ、前車輪６と後車輪５が地面に接することによって主フレーム１は地面と略平行となる。【００１０】  座部１５は、一対の補助フレーム４に跨がって取り付けられ、補助フレーム４は前部に下向き延長部１３を有し、先端部に折り畳み式の足載せ台１４を備え、主フレーム３にはこれを跨がって背凭れ１６を設けている。【００１１】    一対の主フレーム３の上向き延長部の先端は、介護者が車椅子を押すための取手１２となっている。又、主フレーム１２上にはアームレスト１８が固定されている。【００１２】    本車椅子の座部１５の昇降機構は下記の如く構成される。図１に示すように座部１５が上昇した状態において昇降機構の構成を説明すると、主フレーム３の後背部にはガイドレール７が固定されており、このレールに沿って、上下に自由にスライドするスライドレール９が一体としてある。【００１３】    スライドレール９には、ガス反力により上下の滑動をアシストするガススプリングと、スライドレール９をガイドレール７の所定の位置に固定するロック機能１１が取り付けられている。【００１４】    また、スライドレール９の略中央部には大径後車輪５を回転保持する枢軸８の固定金具１９が取り付け固定されている。【００１５】    本車椅子の機構は以上の構成であるので、座部１５を下降させるには、まず介護者がロック解除手段１８によってロック機能１１を解除する。使用者の体重がガススプリング１０を縮める様に作用して縮み、連動してスライドレール９が上昇することで大径後車輪５が上昇し、結果、座部１５をはじめ車椅子全体が低い態勢となる。また、逆に座部１５を上昇させるには、ロック機能１１をロック解除手段１８で解除し、取手１２を引き上げ大径後車輪５を押し下げロック機能１１をセットさせるだけで良い。【００１６】    上記ガススプリングが１０は、一般に市販されているもので、ガス反力により伸縮力をアシストするもので、最適な速度と反力で伸縮ができるように調節されたものでよい。【００１７】    然して、車椅子で道路を移動する際には、図１に示す如く、車椅子の座部１５を高くした状態で使用し、通常の車椅子と同様に使用者が手回しホイール１７を回して走行できる。介護者が車椅子を押す場合も、取手１２の位置が高いため、無理なく押すことができる。【００１８】    使用者を車椅子に乗せたまま、ワンボックスカーに搭載するには、まず介護者がロック解除手段１８を操作してロック機能１１を解除する。車椅子使用者の体重がガススプリングを１０を縮め、ガススプリング１０が縮むと図１の状態から、スライドレール９がガイドレール７に沿って上昇して図２の状態になる。スライドレール９が上昇すれば連動して大径後車輪５が上昇し、その分だけ座部１５が下降し使用者の頭の位置は一層低くなる。上記状態で使用者を乗せたまま車椅子をワンボ���クスカーに搭載しても、使用者の頭がワンボックスカーの天井に当たることはない。【００１９】    目的地に到着すれば、使用者を乗せたまま車椅子をワンボックスカーから下ろし、介護者がロック解除手段１８によってロック機能１１をを解除し、取手１２を引き上げ、同時に大径後車輪５を押し下げることにより、座部が持ち上がり車椅子は元の高さに復帰する。以上、本発明の最良あるいは好適な実施例について説明したが、本発明は前記実施例に限定されることなく、本発明を逸脱しない範囲内において多くの変更が可能である。
【図面の簡単な説明】
【００２２】
【図１】  座部を高くした状態の車椅子の概略側面図である。
【図２】  座部を低くした状態の車椅子の概略側面図である。
【図３】  車椅子の概略後面図である。
【図４】  車椅子の上下機構の該略図である。
【図５】  ロック機構の該略図である。
【図６】  主フレーム、ガイドレール、スライドレールの該略断面図である。
【符号の説明】
【００２３】  １、２、３  主フレーム
４  補助フレーム
５  大径後車輪
６  小径前車輪
７  ガイドレール
８  大径車輪５の回転軸
９  スライドレール
１０  ガススプリング
１１  ロック機構
１５  座部
１６  背凭れ
１７  ベアリング球
１８  アームレスト
【図１】
2005253909.tif 000003
【図２】
2005253909.tif 000004
【図３】
2005253909.tif 000005
【図４】
2005253909.tif 000006
【図５】
2005253909.tif 000007
【図６】
2005253909.tif 000008